(57)【要約】      （修正有）【課題】位置及び時間により変動し得る情報を検知・測定して、例えば、原子炉事故等の放射能汚染発生時やその後等、将来的に増えるであろう浮遊／残留放射能・放射線から保護したり、携帯電話端末所有者の周囲環境の確認にも用いることができる携帯電話端末の提供を目的とする。また、位置及び時間により変動し得る情報、例えば、放射能及び／または放射線の有無、その種類、レベル、濃度、量、強度について場所情報を含む様々な情報を迅速かつ広範囲にわたって得ることができる、行政機関にとっても有益な情報を得るシステムを提供する。【解決手段】位置及び時間により変動し得る情報を検知及び／または測定する手段を備えた携帯電話端末。【選択図】図１
2014103432.tif 000002
【特許請求の範囲】
【請求項１】
位置及び時間により変動し得る情報を検知及び／または測定する手段を備えた携帯電話端末。
【請求項２】
位置及び時間により変動し得る情報が、温度、圧力、放射能（放射性物質）、有毒物質、花粉、放射線、電磁波から選択されるもについての情報である請求項１に記載の携帯電話端末。
【請求項３】
位置測位手段をさらに備えた請求項１または２に記載の携帯電話端末。
【請求項４】
位置及び時間により変動し得る情報を検知及び／または測定する手段を備えた携帯電話端末と各携帯電話端末から前記情報を収集して前記情報に関する統計情報を作成する計算手段とを含む前記情報分析システム。
【請求項５】
位置及び時間により変動し得る情報を検知及び／または測定する手段及び位置測位手段を備えた携帯電話端末と各携帯電話端末から前記情報を収集して前記情報に関する地域的な統計情報を作成する計算手段とを含む請求項４に記載の情報分析システム。
【発明の詳細な説明】
【技術分野】
【０００１】
本発明は情報を検知・測定する手段を備えた携帯電話端末、特に位置及び時間により変動し得る数値情報（例えば、温度等の状態値、特定の物質の濃度等の情報、有害放射線の強度等の情報）を検知・測定する付き携帯電話及びこれを用いた情報値の分布計測または通知システムに関する。
【背景技術】
【０００２】
放射性物質を取り扱う施設において施設外への放射能漏れ事故が発生する場合がある。このような場合、施設外に生活する人々にとって、自己の被ばくの有無や被ばく量を知ることは大きな関心事であるとともに、防災対策上、放射能汚染の分布を広範囲に正確に把握することが重要である。
【０００３】
従来、個人の放射線被ばくを測定する機器として個人線量計がある（例えば、特許文献１〜３参照）。これは、原子力発電所、核燃料処理施設、放射線取扱施設などにおいて、作業員の被ばく管理のために携行する装置である。積算率や積算線量が所定値以上になった場合にはアラーム等で作業者にその事実を知らせる。この場合、原則として範囲が施設内に限られており、携行者が作業員に限られている点で上記の目的には適さない。
【０００４】
また、施設外の環境放射線を測定する装置として放射線モニタリングポストがある（例えば、特許文献４参照）これは一定の場所に永続的に設置して測定を行う装置であり、数も限られている。従って、やはり、上記の目的に適うものではない。
【先行技術文献】
【特許文献】
【０００５】
【特許文献１】特開昭６１−０５００８５号公報
【特許文献２】特開平０５−２２３９４４号公報
【特許文献３】特開平０４−２６２２９０号公報
【特許文献４】特開２００５−０３７３０４公報
【発明の概要】
【発明が解決しようとする課題】
【０００６】
本発明は、個人に対し、各種の情報、特に位置及び時間により変動し得る情報（例えば、温度等の状態値、特定の物質の濃度等の情報、有害放射線の強度等の情報、例えば、有害物質及び／または有害放射線（例えば、放射能及び／または放射線）の有無や種類、そのレベル、濃度、量、強度について情報）を与える装置を提供することを第一の目的とする。また、本発明は、そのような情報を迅速に収集して、各種の情報、特に位置及び時間により変動し得る情報（例えば、温度・気圧等の状態値、特定の物質の濃度等の情報、有害放射線の強度等の情報、例えば、有害物質及び／または有害放射線（例えば、放射能及び／または放射線）の有無や種類、そのレベル、濃度、量、強度について情報）を与えるシステムを提供することを第二の目的とする。これらの目的は同時に達成されてもよいし、いずれか一方のみが達成されるものでもよい。
【課題を解決するための手段】
【０００７】
本発明は以下の携帯電話端末及びシステムを含む。
［１］
位置及び時間により変動し得る情報を検知及び／または測定する手段を備えた携帯電話端末。
［２］
位置及び時間により変動し得る情報が、温度、圧力、放射能（放射性物質）、有毒物質、花粉、放射線、電磁波から選択されるものについての情報である前記１に記載の携帯電話端末。
［３］
位置測位手段をさらに備えた前記１または２に記載の携帯電話端末。
［４］
位置及び時間により変動し得る情報を検知及び／または測定する手段を備えた携帯電話端末と各携帯電話端末から前記情報を収集して前記情報に関する統計情報を作成する計算手段とを含む前記情報分析システム。
［５］
位置及び時間により変動し得る情報を検知及び／または測定する手段及び位置測位手段を備えた携帯電話端末と各携帯電話端末から前記情報を収集して前記情報に関する地域的な統計情報を作成する計算手段とを含む請求項４に記載の情報分析システム。
【発明の効果】
【０００８】
本発明の携帯電話端末は、単に携帯型の位置及び時間により変動し得る情報（例えば、特定の状態、物質等の濃度及び／または放射線等の強度（例えば、放射能及び／または放射線））測定器としても使用できるので携帯電話所有者の周囲環境の確認に用い得る。また、位置及び時間により変動し得る情報（例えば、特定の状態、物質等の濃度及び／または放射線等の強度（例えば、放射能及び／または放射線））の有無、その種類、レベル、濃度、量、強度について場所情報を含む様々な情報を迅速かつ広範囲にわたって得ることができる。また、災害時等の「所有者個人位置の特定」「複数人の分布状況」を確認できる。
【図面の簡単な説明】
【０００９】
【図１】本発明の位置及び時間により変動し得る情報（例えば、特定の状態、物質等の濃度及び／または放射線等の強度（例えば、放射能及び／または放射線））測定部の一例を示すブロック図である。
【発明を実施するための形態】
【００１０】
本発明の第一の態様は  位置及び時間により変動し得る情報（例えば、特定の状態、物質等の濃度及び／または放射線等の強度（例えば、放射能及び／または放射線））を検知及び／または測定する手段を備えた携帯電話端末に関する。なお、本発明は位置及び時間により変動し得る情報（例えば、特定の状態、物質等の濃度及び／または放射線等の強度（例えば、放射能及び／または放射線））全般に適用できるが、以下、放射能及び／または放射線を例として説明する。
【００１１】
ここで、放射能とは放射線を出す能力を指し、具体的には放射性物質そのものを指す。放射線は、一般的には電離性を有する高いエネルギーを持った電磁波や粒子線のことを指し、粒子線として、α線、β線、中性子線、陽子線、電子線、宇宙線、電磁放射線としてγ線、Ｘ線が含まれる。本発明は特に、α線、β線、中性子線、γ線の中の一以上の放射線またはこれに対応する放射能を検知及び／または測定する手段を有することが好ましい。
【００１２】
放射能及び／または放射線を検知及び／または測定する手段は、その作用を果たし得るものであれば特に限定されないが、典型的には、放射能及び／または放射線を検出して信号を出力する放射能及び／または放射線検知部１と、検知部１の出力信号を計測する計測回路部２と、計測回路部２の出力信号を演算処理することに加えて後述する表示部７や携帯電話端末機能部１０などとの信号入出力を制御する中央処理装置３（以下ではＣＰＵと略す）と、演算処理された結果を表示する表示部７と携帯電話部１０と、各種設定値や計測値を記憶しておくメモリ８と各種回路部に電気を供給する電源部４から構成されている。携帯電話端末機能部１０は、現行または将来的に開発される任意の構成を含む携帯電話機能及び／または通信機能を有する部分である。
【００１３】
もっとも、表示部７は携帯電話の表示部でもよいし、ＣＰＵ３は携帯電話端末本体のＣＰＵにハードウエア的またはソフトウエア的に組み込まれたものでもよい。同様にメモリ８、各種回路部に電気を供給する電源部４も携帯電話端末機能部１０と共通するものでもよい。設定部９は各種の機能を設定するためのものであり、携帯電話端末機能部１０に通常供えられている押しボタンや音声入力、外部入力、通信を介した入力等により設定できるものでもよい。
【００１４】
また、放射能及び／または放射線を検出して電気信号を出力する放射能及び／または放射線検知部１と、検知部１の出力信号を計測する計測回路部２は、所定の放射能及び／または放射線を検知及び／または測定するものであればよい。すなわち、両者が一体となったものでもよいし、予め定めた閾値以上の検知機能だけでもよい。また、その種類、レベル、濃度、量、強度の１以上を検知及び／または測定するものでよい。例えば、図１では１系統の放射線検知部１と計測回路部２を示しているが、放射能測定の場合、放射性核種のセンサを１以上設けてもよいし、放射線測定の場合、α線、β線、γ線等の放射線の種類に応じた検知部及び／または計測回路部を１以上設けてもよい。
【００１５】
検知部１は、例えば、放射性核種のセンサ、半導体放射線センサ、ＮａＩ（Ｔｌ）シンチレータ、光電子増倍管、ガイガーカウンタ、各種線量計等に用いられるものである。
【００１６】
ガイガーカウンタは、一般にヘリウム、ネオンもしくはアルゴン等の不活性ガスまたはペニング混合ガスを充填した中空の円筒とその芯に取り付けられた電極から構成されるガイガーミューラ管を含む。円筒と芯の間には数百ボルトの電圧がかけられているが、通常はその間には電流は流れていない。電離放射線が円筒を通過すると、充填された不活性ガスの分子が電離され、正に帯電したイオンと電子を作り出す。円筒内にかけられた高電場のためにこのイオンは陰極に向かって加速され、電子は陽極に向かって加速される。これらのイオン対は加速によって運動エネルギーを得るので、移動中に衝突した気体分子もまた電離させる。こうして、ガスの中に荷電粒子のなだれが作られる。
この現象の結果、陰極から陽極に向かって短く強いパルス電流が（雪崩状に）流れ、このパルスを測定・計数することができる。
【００１７】
半導体放射線センサは放射線を検出する半導体検出器である。半導体放射線センサは通常は増幅器、波高弁別器等を備えている。波高弁別器は放射線信号のみを通過させるためのものである。もっとも、これ以外の構成で放射線信号を識別するものでもよい。
【００１８】
ガイガーカウンタ、半導体放射線センサ、ＮａＩ（Ｔｌ）シンチレータ、光電子増倍管の出力信号は通常は電気信号であるが、ガラス線量計、カラー線量計のように色素の色変化等、光学的な特性変化を放射線の検知に利用することもできる。
【００１９】
ガラス線量計は、蛍光ガラス素子である。一般に、蛍光ガラス素子としては、銀イオンを含有したリン酸塩ガラスからなるガラス素子が用いられている。このガラス素子は、放射線が照射され活性化された後、波長３００〜４００ｎｍの紫外線で励起すると蛍光を発するという現象（ラジオフォトルミネッセンス：ＲＰＬ）を生じる。そして、このときの蛍光強度はそのガラス素子が受けた放射線被ばく線量に比例することから、この蛍光強度を検出することにより放射線被ばく線量を測定することができる。特に、このような蛍光ガラス素子は、発生したＲＰＬ中心が読取操作によっても消滅せずに、繰り返し読取りができるという特徴がある。
【００２０】
カラー線量計は、メチルイエローなどのｐＨインジケータを用いて、放射線反応に伴う酸発生による変色を使用した技術などが知られている他、近年ではフォトクロミック分子を利用したカラー線量計が検討されている。フォトクロミック分子とは、光の作用により色彩の異なる２種類の異性体を可逆的に生成する分子である。フォトクロミック分子の中には、光のみならず放射線照射によっても可逆的に変色するものがあり、このようなフォトクロミック分子であればカラー線量計への応用が可能である。
【００２１】
もっとも、以上に挙げた放射能及び／または放射線を検出及び／または測定する方法は例示であり、これ以外の方法も用いることができる。例えば、携帯電話端末で送受信する電波における雑音やその強度に基づいて放射能及び／または放射線の有無や強弱を判定してもよい。
【００２２】
また、放射能及び／または放射線を検出及び／または測定は常時行われてもよいし、断続的に行なわれてもよい。断続的に行なわれる場合、一定時間ごとに自動測定してもよいし、本発明の端末を所持している者がスイッチでＯＮ／ＯＦＦしてもよいし、携帯電話に対し送信されてくる信号に応じてＯＮ／ＯＦＦされるものでもよい。
【００２３】
携帯電話端末機能部１０は、現行または将来的に開発される任意の構成を含む携帯電話機能及び／または通信機能を有する。すなわち、携帯電話端末機能部１０は、例えば、メール等のパケット通信のみが可能なものでもよい。また、その使用周波数帯も特に限定されず、特定のスポット等で無線及び／または有線を介して回線やサーバ等と接続できるものでもよい。その形状や態様は特に限定されず、腕時計やヘッドセット、メガネ等の形状を有するもの等、任意の形状や態様が含まれる。
【００２４】
本発明の携帯電話端末は、単に携帯型放射能及び／または放射線測定器としても使用できるので携帯電話所有者の周囲環境の確認に用い得る。さらに、空気中を測定することが多いが単体物の測定も可能である。これらの結果を警報やメッセージとして音声及び／または画面上に表示する機能を備えていることが好ましい。
【００２５】
本発明の携帯電話端末は、好ましくはさらに位置測位手段を備える。位置測位手段としては、例えば、ＧＰＳが挙げられるが、その他にも、携帯基地局の位置情報による位置測位、何らかの基準点からの比較等、任意の方法が含まれる。
【００２６】
本発明の第二の態様としては、位置及び時間により変動し得る情報（例えば、特定の状態、物質等の濃度及び／または放射線等の強度（例えば、放射能及び／または放射線））を検知及び／または測定する手段を備えた携帯電話端末と各携帯電話端末から位置及び時間により変動し得る情報（例えば、特定の状態、物質等の濃度及び／または放射線等の強度（例えば、放射能及び／または放射線））に関する情報を収集して放射能及び／または放射線に関する統計情報を作成する計算手段とを含む位置及び時間により変動し得る情報（例えば、特定の状態、物質等の濃度及び／または放射線等の強度（例えば、放射能及び／または放射線））情報分析システムが提供される。
【００２７】
本発明のシステムは、第一の態様で説明した携帯電話端末と各携帯電話端末から位置及び時間により変動し得る情報（例えば、特定の状態、物質等の濃度及び／または放射線等の強度（例えば、放射能及び／または放射線））を収集して位置及び時間により変動し得る情報（例えば、特定の状態、物質等の濃度及び／または放射線等の強度（例えば、放射能及び／または放射線））等に関する統計情報を作成する計算手段とを含む。
【００２８】
ここで、位置及び時間により変動し得る情報（例えば、特定の状態、物質等の濃度及び／または放射線等の強度（例えば、放射能及び／または放射線））に関する情報を収集して位置及び時間により変動し得る情報（例えば、特定の状態、物質等の濃度及び／または放射線等の強度（例えば、放射能及び／または放射線））に関する統計データを作成する計算手段は、通常は、コンピュータ（以下、制御コンピュータという。）であり、位置及び時間により変動し得る情報（例えば、特定の状態、物質等の濃度及び／または放射線等の強度（例えば、放射能及び／または放射線））を収集する際には、携帯電話端末からの通信を用いる。このような通信は、携帯電話端末の所持者が手動で行ってもよいし、制御コンピュータが通信回線を用いて順次または同時に発した問い合わせ信号に応じて各携帯電話端末が位置及び時間により変動し得る情報（例えば、特定の状態、物質等の濃度及び／または放射線等の強度（例えば、放射能及び／または放射線））を返信するものでもよい。このような制御は、位置及び時間により変動し得る情報（例えば、特定の状態、物質等の濃度及び／または放射線等の強度（例えば、放射能及び／または放射線））の受信発信は携帯電話端末と通信事業者、行政機関等の間で双方向または一方向による通信で行うことができる。こうした通信は、全加入者に対し行ってもよいし、特定の地域の携帯電話端末に対して行ってもよいし、特定の条件を満たす加入者に対して行ってもよい。また、サンプリングにより行ってもよい。従って、詳細な情報のサンプリングの為、携帯電話を所持する者が携帯電話端末を操作することもなく、携帯電話事業者や行政機関等の任意のタイミングで一方的に情報収集の為の通信をすることができる。
【００２９】
位置及び時間により変動し得る情報（例えば、特定の状態、物質等の濃度及び／または放射線等の強度（例えば、放射能及び／または放射線））は、位置及び時間により変動し得るもの（例えば、特定の状態、物質等の濃度及び／または放射線等の強度（例えば、放射能及び／または放射線））に関するあらゆる情報が含まれ得る。例えば、特定の状態、物質等の濃度及び／または放射線等の強度（例えば、放射能及び／または放射線）の有無、その種類、レベル、濃度、量、強度等の１以上の情報を含む。
【００３０】
好ましくは、上記態様において、携帯電話端末は位置測位手段を備える。位置測位手段を備えることで、上記統計情報として、放射能及び／または放射線の有無、その種類、レベル、濃度、量、強度について場所情報を含む詳細な分布が情報に含まれる。また、災害時等の「所有者個人位置の特定」「複数人の分布状況」を確認できる。
【００３１】
以上、放射能及び／または放射線について本発明を説明してきたが、これは位置及び時間により変動し得る情報（例えば、特定の状態、物質等の濃度及び／または放射線等の強度（例えば、放射能及び／または放射線））全般に適用できる。ここで、位置及び時間により変動し得る情報（例えば、特定の状態、物質等の濃度及び／または放射線等の強度（例えば、放射能及び／または放射線））としては、例えば、人体に作用を及ぼすものはすべて含み得るが、特に広範囲に分布または影響が及ぶもの、さらにその分布等が経時的に変化得るものにより好適に適用できる。こうしたものとしては、温度・圧力放射能（放射性物質）、有毒物質、花粉、放射線（いわゆる放射線）、有害電磁波（前記放射線以外のもの）が含まれるがこれらに限定されるものではない。
【００３２】
また、本発明は、任意のやり方で変更・修正することが可能である。例えば、本発明における携帯電話端末の全部または一部は固定されていてもよい。例えば、ガイガーカウンタ等の計測部は（一部、全部に関わらず）街中の公共物（駅の構内、交通信号機や電柱等）や私有物（例えばコーヒーショップのテーブルやコンビニの店内）に設置してもよい。この場合、その設置された機材の計測結果を携帯電話の電波と位置測位システム（現在はＧＰＳ等が一般的である）を用いて計測結果、位置情報を収集、発信することができる。
【００３３】
また、以上の説明では放射能についての態様について本発明を説明してきたが、電磁波や花粉等の情報についても本発明は適用可能である。
【産業上の利用可能性】
【００３４】
本発明は原子炉事故等の放射能汚染発生時やその後等、将来的に増えるであろう浮遊／残留放射能・放射線から保護したり、携帯電話端末所有者の周囲環境の確認にも用いることができる。また、位置及び時間により変動し得る情報全般（例えば、特定の状態、物質等の濃度及び／または放射線等の強度（例えば、放射能及び／または放射線））の有無、その種類、レベル、濃度、量、強度について場所情報を含む様々な情報を迅速かつ広範囲にわたって得ることができる。また、災害時等の「所有者個人位置の特定」「複数人の分布状況」を確認できる。このため、行政機関にとっても有益な情報を得ることができる。
【符号の説明】
【００３５】
１  放射線検出部
２  計測回路部
３  ＣＰＵ
４  電源部
７  表示部
８  メモリ
９  設定部
１０  携帯電話端末機能部
【図１】
2014103432.tif 000003